(57)【要約】【課題】  電源ケーブルを含む設置スペースを省スペース化する。【解決手段】  ＣＲＴ表示装置に比して奥行き方向に短い液晶表示装置を表示装置として用いると共に、遊技基盤又は情報処理基盤を、その厚み方向が筐体１１の奥行き方向を向くようにして収容すると共に電源ユニットを収容する薄型収容空間を筐体１１内に備えることで、遊技機１０又は情報端末装置を奥行き方向に薄型化する。また、薄型収容空間を背面側から閉じる背面パネル１９のその下部に設けた前方側へ凹む凹部４６を通して電源ケーブル４７を導出するようにし、この凹部４６内から電源ケーブル４７を曲げることを可能とし、背面パネル１９より後方における電源ケーブル４７の配線スペースを小さくする。【選択図】  図１４
2005329167.tif 000002
【特許請求の範囲】
【請求項１】
床面又は台上に立てて設置され使用され、壁面に近接して又はその互いの背面同士が向かい合わせで設置される液晶表示装置付き遊技機であって、
外郭を構成する筐体と、
この筐体内に画成され、遊技基盤を、その厚み方向が筐体の奥行き方向を向くようにして収容すると共に、電源ユニットを収容する薄型収容空間と、
前記筐体を構成し前記薄型収容空間を背面側から閉じる背面パネルと、を備え、
前記背面パネルは、その下部に、前方側へ凹む凹部を有し、
この凹部を通して電源ケーブルが導出されていることを特徴とする遊技機。
【請求項２】
前記凹部より下方の筐体部分は、筐体の横幅方向に延在すると共に前方に向かって斜め下方に傾斜する傾斜面とされ、
前記電源ケーブルは、前記凹部を通し前記傾斜面に沿って導出されていることを特徴とする請求項１記載の遊技機。
【請求項３】
前記傾斜面には、当該傾斜面に直交する方向にその支持部が延びる運搬用キャスタが設けられていることを特徴とする請求項１又は２記載の遊技機。
【請求項４】
床面又は台上に立てて設置され使用され、壁面に近接して又はその互いの背面同士が向かい合わせで設置される液晶表示装置付き情報端末装置であって、
外郭を構成する筐体と、
この筐体内に画成され、情報処理基盤を、その厚み方向が筐体の奥行き方向を向くようにして収容すると共に、電源ユニットを収容する薄型収容空間と、
前記筐体を構成し前記薄型収容空間を背面側から閉じる背面パネルと、を備え、
前記背面パネルは、その下部に、前方側へ凹む凹部を有し、
この凹部を通して電源ケーブルが導出されていることを特徴とする情報端末装置。
【発明の詳細な説明】
【技術分野】
【０００１】
本発明は、床面又は台上に立てて設置され使用される表示装置付き遊技機及び情報端末装置に関し、詳しくは、壁面に近接して又はその互いの背面同士が向かい合わせで設置される遊技機及び情報端末装置に関する。
【背景技術】
【０００２】
従来、アーケードゲーム機のように、ゲームセンタ等の遊技場に用いられる遊技機は、画像を表示する表示装置、遊技動作を制御する遊技基盤、電源供給を行う電源ユニット等の構成要素を、床面や所定の台上に立てて設置され使用される筐体の内部に組み込んだ構成とされている。そして、このような遊技機では、表示装置としてＣＲＴ表示装置が採用され、その画面が筐体の前面から露出するように設置されている（例えば、特許文献１参照）。
【特許文献１】特開２００２−２６００１５号公報
【発明の開示】
【発明が解決しようとする課題】
【０００３】
しかしながら、上記遊技機にあっては、奥行き方向に長いＣＲＴ表示装置が筐体内に収容され、加えて、遊技基盤が、一般的に、その厚み方向を筐体の横幅方向（奥行き方向と直交する方向）に向くようにして筐体内に収容されるため、必然的に筐体が奥行き方向に長くなる。
【０００４】
さらに、各種遊技機にあっては、その背面を遊技場の壁面に近接配置し、また、対戦型の遊技機にあっては、その互いの背面同士を向かい合わせで近接配置することで、遊技スペースの確保を図っているが、従来の遊技機では、図１７に示すように、太い電源ケーブル２が筐体１を構成する背面パネル３から後方へ単に導出する構成のため、この太い電源ケーブルを曲げるスペースが必要とされ、電源ケーブルを含む遊技機の設置スペースの省スペース化が望まれている。
【０００５】
また、このような省スペース化の要求は、遊技機のみならず、例えばコンビニエンスストア内の床面や所定の台上に設置され、顧客が商品、チケット、レジャー施設の入場券の購入、各種代金の支払い、宿泊施設の予約等を行える情報端末装置に対しても同様にある。
【０００６】
本発明は、このような課題を解決するために成されたものであり、設置スペースが省スペース化される遊技機及び情報端末装置を提供することを目的とする。
【課題を解決するための手段】
【０００７】
本発明による遊技機は、床面又は台上に立てて設置され使用され、壁面に近接して又はその互いの背面同士が向かい合わせで設置される液晶表示装置付き遊技機であって、外郭を構成する筐体と、この筐体内に画成され、遊技基盤を、その厚み方向が筐体の奥行き方向を向くようにして収容すると共に、電源ユニットを収容する薄型収容空間と、筐体を構成し薄型収容空間を背面側から閉じる背面パネルと、を備え、背面パネルは、その下部に、前方側へ凹む凹部を有し、この凹部を通して電源ケーブルが導出されていることを特徴としている。
【０００８】
また、本発明による情報端末装置は、床面又は台上に立てて設置され使用され、壁面に近接して又はその互いの背面同士が向かい合わせで設置される液晶表示装置付き情報端末装置であって、外郭を構成する筐体と、この筐体内に画成され、情報処理基盤を、その厚み方向が筐体の奥行き方向を向くようにして収容すると共に、電源ユニットを収容する薄型収容空間と、筐体を構成し薄型収容空間を背面側から閉じる背面パネルと、を備え、背面パネルは、その下部に、前方側へ凹む凹部を有し、この凹部を通して電源ケーブルが導出されていることを特徴としている。
【０００９】
このような遊技機、情報端末装置によれば、ＣＲＴ表示装置に比して奥行き方向に短い液晶表示装置が表示装置として用いられると共に、遊技基盤又は情報処理基盤を、その厚み方向が筐体の奥行き方向を向くようにして収容すると共に電源ユニットを収容する薄型収容空間が筐体内に画成されることから、遊技機又は情報端末装置が奥行き方向に薄型化される。また、薄型収容空間を背面側から閉じる背面パネルのその下部に設けられた前方側へ凹む凹部を通して電源ケーブルが導出されているため、この凹部内から電源ケーブルが曲げられ、背面パネルより後方における電源ケーブルの配線スペースが小さくされる。
【００１０】
ここで、凹部より下方の筐体部分は、筐体の横幅方向に延在すると共に前方に向かって斜め下方に傾斜する傾斜面とされ、電源ケーブルは、凹部を通し傾斜面に沿って導出される構成を採用するのが好ましい。
【００１１】
このような構成を採用した場合、凹部内から電源ケーブルが曲げられ、この曲げられた電源ケーブルが、筐体下部の傾斜面の下に隠れるようにして沿わされて導出するため、背面パネルより後方における電源ケーブルの配線スペースが不要とされる。
【００１２】
また、傾斜面には、当該傾斜面に直交する方向にその支持部が延びる運搬用キャスタが設けられていると、この運搬用キャスタ装着用の傾斜面を利用して上記電源ケーブルが導出される。
【発明の効果】
【００１３】
本発明によれば、電源ケーブルを含む設置スペースを省スペース化することが可能となる。
【発明を実施するための最良の形態】
【００１４】
以下、本発明の好適な実施形態について図面を参照しながら説明する。なお、図面の説明において、同一または相当要素には同一の符号を付し、重複する説明は省略する。図１〜図８は、本発明の実施形態に係る遊技機を示す各図、図９は、図１中の液晶ユニットの分解斜視図、図１０及び図１１は、図９中の液晶表示ユニットを装着する場合の説明図、図１２は、図３中のコイン回収ボックスの斜視図、図１３は、図８中の収容箱の斜視図、図１４は、図６中の電源ケーブルの導出状態を側方から示す状態図、図１５は、図１に示すフットパネルを構成する外装板の斜視図、図１６は、図１５に示す外装板に収容される補強板の斜視図である。
【００１５】
図１〜図８に示すように、遊技機１０は、例えば、遊技場内で床面や所定の台上に設置して使用される据え置き型のもの（例えばアーケードゲーム機）であり、その外郭を成す筐体１１と、図１、図２及び図７に示すように、液晶表示装置１２とを具備し、この遊技機１０で遊ぶ遊技者は、液晶表示装置１２と対面して、椅子（不図示）に座り、液晶表示装置１２に表示されたゲームを楽しむ。
【００１６】
以下、筐体１１について詳説する。この筐体１１は、図１に示すように、天頂部１３と、左側板部１４と、右側板部１５と、筐体１１の底部を構成するフットパネル１６と、筐体１１の正面を構成するメインパネル１７及び前面パネル１８と、筐体１１の正面に突出して設置されたコントロールパネル２５と、背面パネル１９とを有している。
【００１７】
筐体１１の内部は、図７に示すように、その内部領域が、薄型空間５０とされ、この薄型空間５０は、コントロールパネル２５より上方側に位置する上部空間５１と、コントロールパネル２５より下方に位置する下部空間（薄型収容空間）５２とを有している。
【００１８】
天頂部１３は、例えば樹脂、金属等から構成され、図１、図２及び図７に示すように、液晶表示装置１２の上側に配置され、その横幅方向が液晶表示装置１２に対応する寸法とされると共に、その奥行き方向（前後方向）中央部分が上方へ湾曲して突出する形状とされている。天頂部１３の頂き部分には、ＰＯＰ等を設けるための横幅方向に長い溝部１３ａが形成されている。また、天頂部１３の横幅方向両側には、左側板部１４、右側板部１５を着脱するための係合部（不図示）が各々設けられ、左側板部１４及び右側板部１５が各々係合されている。
【００１９】
これらの左側板部１４及び右側板部１５は、図１及び図３に示すように、同一形状を成し、例えば金属材、好ましくはアルミニウムまたはアルミニウム合金等の軽量な金属材を用いて押出成形によって形成されている。このため、左側板部１４及び右側板部１５は、筐体１１の用途に合わせて高さが可変とされている。
【００２０】
メインパネル１７は、図１、図２及び図７に示すように、筐体１１の正面上部を構成し、ゲームの操作方法、配当表などが表示されたＰＯＰカバー２０、左右のスピーカー２１、液晶表示装置１２が装着される凹部２２が、上部から順に配置されている。
【００２１】
コントロールパネル２５は、メインパネル１７の下端に設置され、図１、図３〜図５及び図７に示すように、遊技者側である前方に向かって水平に張り出すと共に、図１、図２、図４及び図６に示すように、天頂部１３の横幅より外方へ向かって多少張り出している。このコントロールパネル２５は、所定の角度範囲で回動自在の操作スティック２５ａと、押込み可能な操作ボタン２５ｂとを、上面に備えている。また、コントロールパネル２５の右側板部１５側には、遊技に必要なメダルや硬貨等の媒体（以下「コイン」という）を投入するためのコイン投入口２８が設けられている。
【００２２】
前面パネル１８は、コントロールパネル２５の下方に配置され、図１及び図２に示すように、その右側端部付近に、高さ方向に延在するコイン回収扉２７と、残りの部分を占める前面扉２６とを有している。これらのコイン回収扉２７及び前面扉２６は、開閉可能で施錠可能な扉とされている。
【００２３】
背面パネル１９は、図６に示すように、天頂部１３の横幅に対応する寸法とされ、図３、図６及び図７に示すように、上記薄型空間５０を背面から塞ぐように上から順に、後方に向かって斜め下方に傾斜する傾斜部４２ａを上部に有する第１背面パネル４２と、この第１背面パネル４２下に位置する第２背面パネル４３と、この第２背面パネル４３の下端から前方に向かって下方に傾斜する傾斜面４４ａを有する第３背面パネル４４とを備えている。
【００２４】
第１背面パネル４２は、図１及び図７に示すように、液晶表示装置１２に対応する位置にあり、この液晶表示装置１２を収容し得るように、メインパネル１７との間に、所定の上部空間５１（詳しくは後述）を形成している。また、傾斜部４２ａは、筐体１１の内外を連通する排気口４５を有している。
【００２５】
第２背面パネル４３は、図１、図３及び図７に示すように、前面パネル１８との間に、所定の下部空間５２（詳しくは後述）を形成している。また、図６及び図１４に示すように、第２背面パネル４３の下端には、前方側へ凹む凹部４６が形成され、この凹部４６の凹面には、電源ケーブル口４８が設けられている。この電源ケーブル口４８を通して電源ケーブル４７が筐体１１から導出されている。
【００２６】
第３背面パネル４４には、図３、図６及び図１４に示すように、運搬用キャスタ４９が設けられている。この運搬用キャスタ４９は、傾斜面４４ａに対して直交する方向に延びるように固定された支持部４９ａに回転自在に支持されている。これにより、遊技機１０を運搬する際には、この遊技機１０を後方へ傾斜させて、容易に運搬することができる。
【００２７】
次に、液晶表示装置１２について説明する。この液晶表示装置１２は、図９に示すように、遊技者側の表面を構成すると共に画面の四角枠を構成する枠体としてのモニターマスク３３、全体の外枠を構成するＬＣＤベース３４、緩衝材であるＬＣＤスポンジ３５、ＬＣＤガラス３６、ＬＣＤスポンジ３７、この液晶表示装置１２を制御するためのプリント基板を収容するプリント基板収容箱３９と一体化されて液晶表示ユニット２９とされている。
【００２８】
ＬＣＤベース３４は、その外形が正方形とされ、角付近に、筐体１１に取り付けるためのねじ穴３４ａを各々有している。このねじ穴３４ａは、上下方向、左右方向に対象に配置されている。また、ＬＣＤベース３４には、その背面側に、液晶表示装置１２を固定するためのねじ穴３４ｂが開口されている。
【００２９】
そして、ＬＣＤガラス３６の正面側及び背面側には、ＬＣＤスポンジ３５，３７が各々両面テープ等により接着され、液晶表示装置１２は、ＬＣＤベース３４にねじ止めされ、さらに、モニターマスク３３はＬＣＤベース３４に接着され、プリント基板収容箱３９は液晶表示装置１２にねじ止めされて、液晶表示ユニット２９として一体とされて、上記ＬＣＤベース３４のねじ止めにより筐体１１に着脱可能に取り付けられている。
【００３０】
図１０及び図１１に示すように、メインパネル１７の凹部２２は、その上部側が後方へ緩傾斜する凹部とされ、この凹部２２の凹面には液晶表示ユニット２９に対応する開口部２２ａが設けられている。この開口部２２ａを形成する周縁部２２ｂは、ＬＣＤベース３４のねじ穴３４ａに対応する位置にねじ穴２２ｃを備えている。
【００３１】
図２及び図７に示すように、凹部２２の上面は、スピーカー２１の対面下から後方に向かって斜め下方に傾斜し、上方から液晶表示装置１２への光の入射を防止する遮光パネル５８とされている。
【００３２】
次に、筐体１１の内部について詳説する。前述した薄型空間５０の下部に位置する下部空間５２は、図７及び図８に示すように、仕切板５６により、遊技基盤３０を収容する前方領域５４と電源ユニット３１を収容する後方領域５５とに別けられて、これらの前方領域５４と後方領域５５の上部は、図７に示すように、連通部５７により連通した状態とされている。
【００３３】
遊技基盤３０は、遊技動作を制御するものでその厚さ方向が筐体１１の奥行き方向と同じとされて、仕切板５６の前面に設置されている。すなわち、遊技基盤３０は、前面パネル１８及び背面パネル１９と平行に配置されている。この遊技基盤３０は、前面扉２６を開閉することで、下部空間５２への出し入れが可能とされている。
【００３４】
電源ユニット３１は、液晶表示ユニット２９、遊技基盤３０、後述のファン５３等へ給電するもので、図８に示すように、第２背面パネル４３の凹部４６に近い位置に配置されている。
【００３５】
このように本実施形態の筐体１１は、液晶表示装置１２を備えると共に遊技基盤３０が前面パネル１８及び背面パネル１９と平行に配置されることで、薄型とされている。
【００３６】
また、下部空間５２には、上記薄型を妨げないように、図８に示すように、コイン投入口２８の下方の位置で、遊技基盤３０の図示右側の端部と、右側板部１５との間に挟まれるようにしてコイン回収ボックス３２が配置されている。このコイン回収ボックス３２は、図８及び図１３に示すように、収容箱４０に取り出し、収容可能に収容されている。
【００３７】
このコイン回収ボックス３２は、図３、図８及び図１２に示すように、上部に開口３２ａを有する箱型を成し、横幅方向に細く、奥行き方向及び高さ方向に長い構成とされている。コイン回収ボックス３２の背面側の下部は、第３背面パネル４４の傾斜面４４ａに対面する傾斜面３２ｂとされ、コイン回収ボックス３２の前面３２ｃには、出し入れを容易とすべく把手３２ｄが設けられている。図１に示すコイン投入口２８から投入されたコインは、所定の経路（不図示）に案内され開口３２ａを通して、コイン回収ボックス３２内に回収され、コイン回収扉２７を開閉することで、コイン回収ボックス３２の出し入れが可能とされている。また、コイン回収扉２７を施錠することで、コインの盗難防止が図られている。
【００３８】
前述した薄型空間５０の上部に位置する上部空間５１は、後方領域５５に連通して更に上方に延びる空間であり、液晶表示装置１２を、その画面が前方へ露出するように収容すると共に、その上部にスピーカー２１を収容し、更に、薄型空間５０の空気を外部に排出するファン５３を収容する。このファン５３を稼動することで、薄型空間５０内の空気が排気口４５を通り、外部へ排出される。
【００３９】
後方領域５５に配置される電源ユニット３１の電源ケーブル４７は、図６及び図１４に示すように、電源ケーブル口４８を通して後方に向かって凹部４６内に導出され、この凹部４６内で下方に曲げられると共に、多少外側に曲げられて、第２背面パネル４３の下端面４３ａ及び第３背面パネル４４の傾斜面４４ａの下に隠れるようにして横幅方向に沿わされて導出されている。すなわち、電源ケーブル４７は、背面パネル１９より後方へはみ出さない構成とされている。
【００４０】
ここで、筐体１１は、上述したように、薄型に構成されているため、特に、前後方向の力により、転倒する虞もある。そこで、筐体１１の安定度を増加させるべくその底部にフットパネル１６が設置されている。
【００４１】
フットパネル１６は、図１及び図１５に示すように、矩形の板状を成し、図１、図３、図５及び図７に示すように、前方に向かって張り出すと共に、コントロールパネル２５より前方に突出しない大きさとされている。フットパネル１６は、図１５に示すように、その上面、前面、左側面及び右側面を形成し下面が開放された外装板５９と、この外装板５９に収容される図１６に示す補強板６０とから構成されている。これらの外装板５９及び補強板６０は、例えばアルミ等から成り、プレス加工等により成形されている。
【００４２】
外装板５９は、各面が平坦面とされ、図１に示すように、その上面５９ａに、遊技者が足を載せながらゲームを楽しむことができる。
【００４３】
補強板６０は、図５及び図１６に示すように、前後方向に伸びる凹凸部６１を有している。この凹凸部６１は、凹凸部６１ａ〜６１ｄを横幅方向に並設して備えるもので、具体的には、中央に延在すると共に下方（図１６における手前側）に突出する凸部６１ａと、この凸部６１ａの外側に設けられた凹部６１ｂ，６１ｂと、これらの凹部６１ｂ，６１ｂの外側に設けられた凸部６１ｃ，６１ｃと、これらの凸部６１ｃ，６１ｃの外側に設けられた凹部６１ｄ，６１ｄとを備えている。
【００４４】
そして、横幅方向の外側の凸部６１ｃには、図１６に示すように、正面側と背面側とにねじ穴６１ｆが各々設けられ、図５に示す例えばゴム等から形成された足６２が取り付けられている。この足６２は、支持部がねじ穴６１ｆに螺合する雄ねじとされ、図２及び図３に示すように、筐体１１の高さの微調整が可能とされている。
【００４５】
また、液晶表示装置１２を備える液晶表示ユニット２９は、図１０及び図１１に示すように、縦横を変更して筐体１１に取り付けることが可能である。この場合には、先ず、図１、図３、図４、図６及び図７に示す第１背面パネル４２を取り外し、図１０及び図１１に示すように、凹部２２の背面側を露出させる。次に、液晶表示ユニット２９を上記ねじの螺合を解除することで凹部２２の周縁部２２ｂから取り外し縦横を変更して、ＬＣＤベース３４を、正面側から凹部２２の周縁部２２ｂに嵌め込んで、ねじ穴２２ｃと図９に示すねじ穴３４ａとを一致させる。最後に、背面側からねじを装着して、ＬＣＤベース３４を凹部２２に固定して、液晶表示ユニット２９を筐体１１に装着する。このようにして、簡易に液晶表示ユニット２９の縦横が変更される。
【００４６】
なお、この液晶表示ユニット２９の縦横変更は、具体的には、遊技内容の変更の際の遊技基盤３０の変更に伴い行われる。
【００４７】
このような遊技機１０では、ＣＲＴ表示装置に比して奥行き方向に短い液晶表示装置１２が表示装置として用いられると共に、遊技基盤３０をその厚み方向が筐体１１の奥行き方向を向くようにして収容する下部空間５２を備えているため、筐体１１が奥行き方向に薄型化され、また、筐体１１の底部から操作側である前方に向かって張り出すフットパネル１６が、筐体１１の前面から前方に張り出すコントロールパネル２５より前方に突出しないことから、筐体１１が一層薄型化され、また、液晶表示装置１２と下部空間５２が奥行き方向に重ならないことから筐体１１が一層薄型化されている。その結果、遊技機１０の設置スペースが省スペース化されている。
【００４８】
また、遊技機１０では、下部空間５２を背面側から閉じる第２背面パネル４３のその下部に設けられた前方側へ凹む凹部４６を通して電源ケーブル４７が導出されているため、この凹部４６内から電源ケーブル４７が曲げられ、背面パネル１９より後方における電源ケーブル４７の配線スペースが小さくされている。その結果、電源ケーブル４７を含む設置スペースが省スペース化されている。そして、遊技機１０にあっては、その背面パネル１９を遊技場の壁面に近接配置し、また、対戦型の遊技機１０にあっては、その互いの背面パネル１９同士を向かい合わせで近接配置することが可能とされている。
【００４９】
また、凹部４６より下方の第３背面パネル４４は、筐体１１の横幅方向に延在すると共に前方に向かって斜め下方に傾斜する傾斜面４４ａとされ、電源ケーブル４７は、凹部４６内を通し傾斜面４４ａに沿って導出されるため、凹部４６内から電源ケーブル４７が曲げられ、この曲げられた電源ケーブル４７が、第３背面パネル４４の下に隠れるようにして沿わされて導出されている。その結果、背面パネル１９より後方における電源ケーブル４７の配線スペースが不要とされ、一層省スペース化されている。また、第３背面パネル４４の傾斜面４４ａは、運搬用キャスタ４９装着用の傾斜面４４ａが利用されているため、コスト増が防止されている。
【００５０】
また、このように筐体１１が薄型化されると、設置バランスが悪く安定度が低下し最悪の場合転倒の虞があるが、前方に向かって張り出すフットパネル１６を備えているため、筐体１１のバランスが良化し安定度が高められると共に、当該フットパネル１６が凹凸部６１を備えているため、フットパネル１６の剛性が高められて安定度が一層高められる。特に、本実施形態の遊技機１０にあっては、遊技者が椅子に座りフットパネル１６を踏んで遊技が実行されるため、安定度が一層高められる。その結果、遊技機１０の転倒の虞れが無くされている。
【００５１】
また、このような遊技機１０では、フットパネル１６は、凹凸部６１ａ〜６１ｄを下面に並設して備えているため、この凹凸部６１ａ〜６１ｄが遊技の際に邪魔になることは無くフットパネル１６を踏んでの遊技に違和感が生じることが無くされている。
【００５２】
また、遊技機１０には、遊技の際に遊技者により前後方向に力が加わり易いが、フットパネル１６が、横幅方向に凹凸部６１ａ〜６１ｄを並設して備えているため、この横幅方向に並設される凹凸部６１ａ〜６１ｄにより、フットパネル１６の前後方向に加わる力に対する剛性が一層高められている。
【００５３】
また、このように遊技機１０が薄型化されると、発熱体である液晶表示装置１２、遊技基盤３０及び電源ユニット３１からの熱で筐体１１内が高温化し易く異常動作を生じる虞があるが、液晶表示装置１２の裏面が接すると共に電源ユニット３１を収容し、且つ、仕切板５６の前面に装着された遊技基盤３０を収容する薄型空間５０のその空気が、ファン５３により排気口４５へ排気されるため、筐体１１内の熱が効率良く放熱される。その結果、遊技機１０の異常動作の生じる虞が無くされている。
【００５４】
なお、前方領域５４と後方領域５５は、連通部５７を通して連通されているため、前方領域５４の遊技基盤３０から発せられる熱が、ファン５３により連通部５７を通して効率良く排気口４５から外へ排気されるが、連通部５７が無く、仕切板５６により前方領域５４と後方領域５５とが完全に仕切られていても、遊技基盤３０からの熱は、仕切板５６を介して後方領域５５に伝わり、ファン５３により効果的に放熱されることになる。
【００５５】
また、このように遊技機１０が薄型化され、この薄型に対応して液晶表示装置１２の上部側が後方へ緩傾斜を成すように設置されているため、液晶表示装置１２の画面サイズが小型化を図るべくＣＲＴ表示装置の画面サイズより小さくされても、遊技者にとっての液晶表示装置１２の画角が、上記緩傾斜より後方にさらに傾くＣＲＴ表示装置の画角と略同じに感じられて、違和感無く操作される。その結果、従前と同様な感覚で操作される。特に、遊技機にあっては、従来のＣＲＴ表示装置で遊技し馴れた遊技者が当該液晶表示装置１２の画角に違和感を感じると、当該液晶表示装置付きの遊技機で遊技しない虞があるため、違和感が無いのは特に重要である。なお、本実施形態にあっては、画面サイズは２０インチであり垂直面に対する液晶表示装置１２の緩傾斜角度（取り付け角度）は２１°である。
【００５６】
また、液晶表示装置１２は、筐体１１の前面に凹設された凹部２２に上記緩傾斜で装着され、筐体１１の凹部２２を構成する上面５８は、後方に向かって斜め下方に傾斜する遮光パネル５８とされているため、この簡易な構成の遮光パネル５８により、筐体１１の前面に庇等を設けずに薄型化を維持しつつ、上方の照明等の映り込みが防止されている。
【００５７】
また、遊技機１０では、前面パネル１８の上部から前方に張り出すコントロールパネル２５の右側の端部分のコイン投入口２８から投入されたコインを回収するためのコイン回収ボックス３２が、横幅方向に細く且つ奥行き方向及び高さ方向に延在する箱状を成して、下部空間５２におけるコイン投入口２８の下方に配置されると共に、遊技基盤３０の横幅方向の端部と筐体１１を構成し下部空間５２を側面側から閉じる右側板部１５との間に挟まれるようにして配置されているため、コインの回収容積を低めること無く遊技機１０が奥行き方向に薄型化されている。その結果、コインの回収効率を低めること無く遊技機１０の設置スペースが省スペース化されている。なお、コイン投入口２８及びコイン回収ボックス３２は、横幅方向の右側端部に限定されるものではなく、左側端部にあっても良い。
【００５８】
また、遊技機１０では、必要に応じて画面の縦横変更をする場合には、液晶表示装置１２と画面の四角枠を構成するモニターマスク３３とを一体化して成る液晶表示ユニット２９を、筐体１１に対し脱着して縦横変更すれば良く、従来のＣＲＴ表示装置を用いて縦横変更する場合、具体的には、ＣＲＴ表示装置と四角枠とが別体とされ、ＣＲＴ表示装置が、筐体を構成する本体パネルに着脱可能に装着されると共に、四角枠が、筐体を構成するフロントパネルに着脱可能に装着され、ＣＲＴ表示装置及び四角枠を各々縦横変更して、対応するパネルに各々装着する場合に比して、縦横変更が容易且つ簡易とされている。
【００５９】
また、遊技機１０では、液晶表示ユニット２９が正方形を成しているため、筐体１１側の液晶表示ユニット２９を取り付ける凹部２２の周縁部２２ｂ及びねじ穴２２ｃが、縦横で共通とされている。
【００６０】
以上、本発明をその実施形態に基づき具体的に説明したが、本発明は、上記実施形態に限定されるものではない。上記実施形態にあっては、遊技機１０に対する適用を述べているが、例えばコンビニエンスストア内の床面や所定の台上に設置され、顧客が商品、チケット、レジャー施設の入場券の購入、各種代金の支払い、宿泊施設の予約等を行える情報処理基盤を備える情報端末装置に対しても同様に適用可能である。
【図面の簡単な説明】
【００６１】
【図１】本発明の実施形態に係る遊技機を示す斜視図である。
【図２】図１に示す遊技機の正面図である。
【図３】図１に示す遊技機の側面図である。
【図４】図１に示す遊技機の上面図である。
【図５】図１に示す遊技機の下面図である。
【図６】図１に示す遊技機の背面図である。
【図７】図２のVII−VII矢視図である。
【図８】図２のVIII−VIII矢視図である。
【図９】図１中の液晶ユニットの分解斜視図である。
【図１０】図９中の液晶表示ユニットを横長にして装着する場合の説明図である。
【図１１】図９中の液晶表示ユニットを縦長にして装着する場合の説明図である。
【図１２】図３中のコイン回収ボックスの斜視図である。
【図１３】図８中の収容箱の斜視図である。
【図１４】図６中の電源ケーブルの導出状態を側方から示す状態図である。
【図１５】図１に示すフットパネルを構成する外装板の斜視図である。
【図１６】図１５に示す外装板に収容される補強板の斜視図である。
【図１７】従来の電源ケーブルの導出状態を上方から示す状態図である。
【符号の説明】
【００６２】
１０…遊技機、１１…筐体、１２…液晶表示装置、１９…背面パネル、３０…遊技基盤、３１…電源ユニット、４２…第１背面パネル（背面パネル）、４３…第２背面パネル（背面パネル）、４４…第３背面パネル（背面パネル）、４４ａ…傾斜面、４６…凹部、４７…電源ケーブル、４９…運搬用キャスタ、４９ａ…支持部、５２…下部空間（薄型収容空間）。
【図１】
2005329167.tif 000003
【図２】
2005329167.tif 000004
【図３】
2005329167.tif 000005
【図４】
2005329167.tif 000006
【図５】
2005329167.tif 000007
【図６】
2005329167.tif 000008
【図７】
2005329167.tif 000009
【図８】
2005329167.tif 000010
【図９】
2005329167.tif 000011
【図１０】
2005329167.tif 000012
【図１１】
2005329167.tif 000013
【図１２】
2005329167.tif 000014
【図１３】
2005329167.tif 000015
【図１４】
2005329167.tif 000016
【図１５】
2005329167.tif 000017
【図１６】
2005329167.tif 000018
【図１７】
2005329167.tif 000019